【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
第１の波長のレーザ光と第２の波長のレーザ光を発光する第１の発光部と、
第３の波長のレーザ光を発光する第２の発光部と、
上記第１の波長のレーザ光又は上記第２の波長のレーザ光が透過される第１のコリメート手段と、
上記第３の波長のレーザ光が透過される第２のコリメート手段と、
上記第１のコリメート手段を透過した第１の波長のレーザ光又は上記第２のコリメート手段を透過した第３の波長のレーザ光が透過される第１の対物レンズと、
上記第１のコリメート手段を透過した第２の波長のレーザ光が透過される第２の対物レンズとを有する光ピックアップ装置。
【請求項２】
上記第１のコリメート手段及び第１の対物レンズは、上記第１の波長のレーザ光を第１のディスクの信号記録面に収束させる第１の倍率を備え、
上記第１のコリメート手段及び第２の対物レンズは、上記第２の波長のレーザ光を第２のディスクの信号記録面に収束させる第２の倍率を備え、
上記第２のコリメート手段及び第１の対物レンズは、上記第３の波長のレーザ光を第３のディスクの信号記録面に収束させる第３の倍率を備えることを特徴とする請求項１記載の光ピックアップ装置。
【請求項３】
上記第1の波長、第２の波長及び第３の波長はそれぞれ異なる波長であって、上記第１の波長のレーザー光に対して上記第２の波長、第３の波長の一方は波長が長く、他方は波長が短いレーザー光であることを特徴とする請求項１記載の光ピックアップ装置。
【請求項４】
上記第１の波長のレーザ光は、波長６６０ｎｍ帯域のレーザ光であり、
上記第２の波長のレーザ光は、波長４０５ｎｍ帯域のレーザ光であり、
上記第３の波長のレーザ光は、波長７８５ｎｍ帯域のレーザ光であることを特徴とする請求項１記載の光ピックアップ装置。
【請求項５】
上記第１の波長のレーザ光は、波長６６０ｎｍ帯域のレーザ光であり、
上記第２の波長のレーザ光は、波長７８５ｎｍ帯域のレーザ光であり、
上記第３の波長のレーザ光は、波長４０５ｎｍ帯域のレーザ光であることを特徴とする請求項１記載の光ピックアップ装置。
【請求項６】
上記第１及び第２のコリメート手段はコリメータレンズであることを特徴とする請求項１記載の光ピックアップ装置。
【請求項７】
上記第１のコリメート手段はコリメータレンズからなり、
上記第２のコリメート手段は、カップリングレンズと上記コリメータレンズとからなることを特徴とする請求項４記載の光ピックアップ装置。
【請求項８】
上記第１のコリメート手段はカップリングレンズとコリメータレンズとからなり、
上記第２のコリメート手段は上記コリメータレンズからなることを特徴とする請求項５記載の光ピックアップ装置。
【請求項９】
上記第1または第２のコリメート手段はコリメータレンズを備えてなり、このコリメータレンズが光軸方向へ移動可能に支持されていることを特徴とする請求項１記載の光ピックアップ装置。
【請求項１０】
第１の波長のレーザ光と第２の波長のレーザ光を発光する第１の発光部と、
第３の波長のレーザ光を発光する第２の発光部と、
上記第１の波長のレーザ光又は上記第２の波長のレーザ光が透過される第１のコリメート手段と、
上記第３の波長のレーザ光が透過される第２のコリメート手段と、
上記第１のコリメート手段を透過した第１の波長のレーザ光又は上記第２のコリメート手段を透過した第３の波長のレーザ光が透過される第１の対物レンズと、
上記第１のコリメート手段を透過した第２の波長のレーザ光が透過される第２の対物レンズとを備える記録及び／又は再生装置。
【請求項１１】
上記第１のコリメート手段及び第１の対物レンズは、上記第１の波長のレーザ光を第１のディスクの信号記録面に収束させる第１の倍率を備え、
上記第１のコリメート手段及び第２の対物レンズは、上記第２の波長のレーザ光を第２のディスクの信号記録面に収束させる第２の倍率を備え、
上記第２のコリメート手段及び第１の対物レンズは、上記第３の波長のレーザ光を第３のディスクの信号記録面に収束させる第３の倍率を備えることを特徴とする請求項１０記載の記録及び／又は再生装置。
【請求項１２】
第１の波長のレーザ光と第２の波長のレーザ光を発光する第１の発光部と、光ディスクに反射された戻りの上記第１の波長のレーザ光及び第２の波長のレーザ光を受光する受光部とを有する第１の受発光素子と、
第３の波長のレーザ光を発光する第２の発光部と、光ディスクに反射された戻りの上記第３の波長のレーザ光を受光する受光部とを有する第２の受発光素子と、
上記第１の波長のレーザ光又は上記第２の波長のレーザ光が透過される第１のコリメート手段と、
上記第３の波長のレーザ光が透過される第２のコリメート手段と、
上記第１のコリメート手段を透過した第１の波長のレーザ光又は上記第２のコリメート手段を透過した第３の波長のレーザ光が透過される第１の対物レンズと、
上記第１のコリメート手段を透過した第２の波長のレーザ光が透過される第２の対物レンズとを有する光ピックアップ装置。
【請求項１３】
上記第１の対物レンズ及び上記第１のコリメート手段は、上記光ディスクに反射された上記第１の波長のレーザ光を上記第１の受発光素子の受光部に収束させる第１の倍率を備え、
上記第２の対物レンズ及び上記第１のコリメート手段は、上記光ディスクに反射された上記第２の波長のレーザ光を上記第１の受発光素子の受光部に収束させる第２の倍率を備え、
上記第１の対物レンズ及び上記第２のコリメート手段は、上記光ディスクに反射された上記第３の波長のレーザ光を上記第２の受発光素子の受光部に収束させる第３の倍率を備えることを特徴とする請求項１２記載の光ピックアップ装置。
【請求項１４】
上記第１の波長、第２の波長及び第３の波長はそれぞれ異なる波長であって、上記第１の波長のレーザー光に対して上記第２の波長、第３の波長の一方は波長が長く、他方は波長が短いレーザー光であることを特徴とする請求項１２記載の光ピックアップ装置。
【請求項１５】
上記第１の波長のレーザ光は、波長６６０ｎｍ帯域のレーザ光であり、
上記第２の波長のレーザ光は、波長４０５ｎｍ帯域のレーザ光であり、
上記第３の波長のレーザ光は、波長７８５ｎｍ帯域のレーザ光であることを特徴とする請求項１２記載の光ピックアップ装置。
【請求項１６】
上記第１の波長のレーザ光は、波長６６０ｎｍ帯域のレーザ光であり、
上記第２の波長のレーザ光は、波長７８５ｎｍ帯域のレーザ光であり、
上記第３の波長のレーザ光は、波長４０５ｎｍ帯域のレーザ光であることを特徴とする請求項１２記載の光ピックアップ装置。
【請求項１７】
上記第１及び第２のコリメート手段はコリメータレンズであることを特徴とする請求項１２記載の光ピックアップ装置。 
【請求項１８】
第１の波長のレーザ光と第２の波長のレーザ光を発光する第１の発光部と、光ディスクに反射された戻りの上記第１の波長のレーザ光及び第２の波長のレーザ光を受光する受光部とを有する第１の受発光素子と、
第３の波長のレーザ光を発光する第２の発光部と、光ディスクに反射された戻りの上記第３の波長のレーザ光を受光する受光部とを有する第２の受発光素子と、
上記第１の波長のレーザ光又は上記第２の波長のレーザ光が透過される第１のコリメート手段と、
上記第３の波長のレーザ光が透過される第２のコリメート手段と、
上記第１のコリメート手段を透過した第１の波長のレーザ光又は上記第２のコリメート手段を透過した第３の波長のレーザ光が透過される第１の対物レンズと、
上記第１のコリメート手段を透過した第２の波長のレーザ光が透過される第２の対物レンズとを有する記録及び／又は再生装置。
【請求項１９】
上記第１の対物レンズ及び上記第１のコリメート手段は、上記光ディスクに反射された上記第１の波長のレーザ光を上記第１の受発光素子の受光部に収束させる第１の倍率を備え、
上記第２の対物レンズ及び上記第１のコリメート手段は、上記光ディスクに反射された上記第２の波長のレーザ光を上記第１の受発光素子の受光部に収束させる第２の倍率を備え、
上記第１の対物レンズ及び上記第２のコリメート手段は、上記光ディスクに反射された上記第３の波長のレーザ光を上記第２の受発光素子の受光部に収束させる第３の倍率を備えることを特徴とする請求項１８記載の記録及び／又は再生装置。
【手続補正２】
【補正対象書類名】明細書
【補正対象項目名】００１５
【補正方法】変更
【補正の内容】
【００１５】
また、本発明にかかる光ピックアップ装置は、第１の波長のレーザ光と第２の波長のレーザ光を発光する第１の発光部と、光ディスクに反射された戻りの上記第１の波長のレーザ光及び第２の波長のレーザ光を受光する受光部とを有する第１の受発光素子と、第３の波長のレーザ光を発光する第２の発光部と、光ディスクに反射された戻りの上記第３の波長のレーザ光を受光する受光部とを有する第２の受発光素子と、上記第１の波長のレーザ光又は上記第２の波長のレーザ光が透過される第１のコリメート手段と、上記第３の波長のレーザ光が透過される第２のコリメート手段と、上記第１のコリメート手段を透過した第１の波長のレーザ光又は上記第２のコリメート手段を透過した第３の波長のレーザ光が透過される第１の対物レンズと、上記第１のコリメート手段を透過した第２の波長のレーザ光が透過される第２の対物レンズとを有するものである。
また、本発明にかかる記録及び／又は再生装置は、第１の波長のレーザ光と第２の波長のレーザ光を発光する第１の発光部と、光ディスクに反射された戻りの上記第１の波長のレーザ光及び第２の波長のレーザ光を受光する受光部とを有する第１の受発光素子と、第３の波長のレーザ光を発光する第２の発光部と、光ディスクに反射された戻りの上記第３の波長のレーザ光を受光する受光部とを有する第２の受発光素子と、上記第１の波長のレーザ光又は上記第２の波長のレーザ光が透過される第１のコリメート手段と、上記第３の波長のレーザ光が透過される第２のコリメート手段と、上記第１のコリメート手段を透過した第１の波長のレーザ光又は上記第２のコリメート手段を透過した第３の波長のレーザ光が透過される第１の対物レンズと、上記第１のコリメート手段を透過した第２の波長のレーザ光が透過される第２の対物レンズとを有するものである。